(57)【特許請求の範囲】
【請求項１】
記憶手段に記憶されたコンテンツファイルを読み取る読取手段と、
前記読み取ったコンテンツファイルの中から再生するコンテンツファイルを選択する選択手段と、
前記選択されたコンテンツファイルの映像に所定の画質処理を施す画質処理手段と、
前記選択されたコンテンツファイルを特定するための名称に所定の名称が含まれる場合、当該所定の名称に対応したパラメータで前記画質処理を行わせる画質制御手段と、
を備え、
前記画質制御手段は、前記所定の名称ごとに、前記画質処理にかかるパラメータが予め設定された設定データを参照して、前記選択されたコンテンツファイルを特定するための名称に含まれる所定の名称に対応したパラメータで前記画質処理を行わせ、
前記画質処理は、前記映像に含まれるノイズを除去する処理であり、
前記画質制御手段は、前記選択されたコンテンツファイルを特定するための名称に含まれる所定の名称に対応したパラメータが示す強さで前記映像に含まれるノイズの除去を行わせる映像再生装置。
【請求項２】
記憶手段に記憶されたコンテンツファイルを読み取る読取手段と、
前記読み取ったコンテンツファイルの映像に所定の処理を施す画質処理手段と、
前記読み取ったコンテンツファイルを特定するための名称の中に所定の文字が含まれる場合、当該所定の文字に対応したパラメータで前記処理を行わせる制御手段と、
を備える映像再生装置。
【請求項３】
前記所定の処理は、所定の画質処理であることを特徴とする、
請求項２に記載の映像再生装置。
【請求項４】
前記画質制御手段は、前記所定の文字ごとに、前記画質処理にかかるパラメータが予め設定された設定データを参照して、前記読み取ったコンテンツファイルを特定するための名称の中に含まれる所定の文字に対応したパラメータで前記画質処理を行わせる、
請求項３に記載の映像再生装置。
【請求項５】
前記画質制御手段は、前記読み取ったコンテンツファイルを特定するための名称の中に、前記所定の文字の他に、前記パラメータの調整にかかる所定のタームが含まれる場合、当該所定のタームに対応した調整量を前記パラメータに付加して前記画質処理を行わせる、
請求項３又は４に記載の映像再生装置。
【請求項６】
前記所定のタームは、前記コンテンツファイルの映像の解像度を示すタームであり、
前記画質制御手段は、前記読み取ったコンテンツファイルを特定するための名称の中に、前記解像度を示すタームが含まれている場合、当該解像度に対応した調整量を前記パラメータに付加して前記画質処理を行わせる、
請求項５に記載の映像再生装置。
【請求項７】
前記画質処理は、前記映像に含まれるノイズを除去する処理であり、
前記画質制御手段は、前記読み取ったコンテンツファイルを特定するための名称の中に含まれる所定の文字に対応したパラメータが示す強さで前記映像に含まれるノイズの除去を行わせる、
請求項３乃至６のいずれか一項に記載の映像再生装置。
【請求項８】
前記選択されたコンテンツファイルを特定するための名称は、コンテンツファイルのファイル名であり、
前記画質制御手段は、前記読み取ったコンテンツファイルのファイル名に所定の文字が含まれる場合、当該所定の文字に対応したパラメータで前記画質処理を行わせる、
請求項３乃至７のいずれか一項に記載の映像再生装置。
【請求項９】
前記選択されたコンテンツファイルを特定するための名称は、当該コンテンツファイルが格納されたフォルダのフォルダ名であり、
前記画質制御手段は、前記読み取ったコンテンツファイルが格納されたフォルダ名に所定の文字が含まれる場合、当該所定の文字に対応したパラメータで前記画質処理を行わせる、
請求項３乃至７のいずれか一項に記載の映像再生装置。
【請求項１０】
前記記憶手段は所定の通信路を介した接続及び切断が可能であり、
前記読取手段は、前記記憶手段が接続された場合に、当該記憶手段に記憶されるコンテンツファイルを読み取る、
請求項３乃至９のいずれか一項に記載の映像再生装置。
【請求項１１】
映像再生装置の映像再生方法であって、
読取手段が、記憶手段に記憶されたコンテンツファイルを読み取る工程と、
画質処理手段が、前記読み取ったコンテンツファイルの映像に所定の処理を施す工程と、
制御手段が、前記読み取ったコンテンツファイルを特定するための名称の中に所定の文字が含まれる場合、当該所定の文字に対応したパラメータで前記処理を行わせる工程と、
を含む映像再生方法。
【発明の詳細な説明】
【技術分野】
【０００１】
本発明の実施形態は、映像再生装置及び映像再生方法に関する。
【背景技術】
【０００２】
従来、液晶テレビ等の映像再生装置には、ＨＤＤ（Hard  Disk  Drive）やフラッシュメモリ等の記憶媒体に記憶されたコンテンツファイルを読み出し、この読み出したコンテンツファイルに記憶されているコンテンツ（番組）の映像を表示するものがある。
【先行技術文献】
【特許文献】
【０００３】
【特許文献１】特開２００６−１０８８４３号公報
【発明の概要】
【発明が解決しようとする課題】
【０００４】
ところで、上述した記憶媒体に記憶されたコンテンツファイルのコンテンツには、解像度の高いコンテンツや解像度の低いコンテンツなど、映像のステータス（映像品位）が異なるコンテンツが混在している。コンテンツの映像を表示する際に行う、ノイズ除去等の画質を改善するための画質処理については、映像のステータスに対応して画質処理に関するパラメータを調整することが好ましい。したがって、記憶媒体に記憶されたコンテンツファイルを読み出して映像を表示する際に、映像品位に適した画質処理を行うためには、読み出した映像を解析して映像品位を確認するための構成を別途備える必要があり、高コストであった。また、ソフトウエアで映像を解析して映像品位を確認する場合も高負荷となってしまう。
【０００５】
本発明は、上記に鑑みてなされたものであって、コンテンツファイルの映像を表示する際の、映像品位に適した画質処理を低コストや低負荷で行うことを可能とする映像再生装置及び映像再生方法を提供することを目的とする。
【課題を解決するための手段】
【０００６】
上述した課題を解決し、目的を達成するために、実施形態の映像再生装置は、記憶手段に記憶されたコンテンツファイルを読み取る読取手段と、前記読み取ったコンテンツファイルの中から再生するコンテンツファイルを選択する選択手段と、前記選択されたコンテンツファイルの映像に所定の画質処理を施す画質処理手段と、前記選択されたコンテンツファイルを特定するための名称に所定の名称が含まれる場合、当該所定の名称に対応したパラメータで前記画質処理を行わせる画質制御手段と、を備え、前記画質制御手段は、前記所定の名称ごとに、前記画質処理にかかるパラメータが予め設定された設定データを参照して、前記選択されたコンテンツファイルを特定するための名称に含まれる所定の名称に対応したパラメータで前記画質処理を行わせ、前記画質処理は、前記映像に含まれるノイズを除去する処理であり、前記画質制御手段は、前記選択されたコンテンツファイルを特定するための名称に含まれる所定の名称に対応したパラメータが示す強さで前記映像に含まれるノイズの除去を行わせる。
また、実施形態の映像再生装置は、記憶手段に記憶されたコンテンツファイルを読み取る読取手段と、前記読み取ったコンテンツファイルの映像に所定の処理を施す画質処理手段と、前記読み取ったコンテンツファイルを特定するための名称の中に所定の文字が含まれる場合、当該所定の文字に対応したパラメータで前記処理を行わせる制御手段と、を備える。
【０００７】
また、実施形態の映像再生方法は、映像再生装置の映像再生方法であって、読取手段が、記憶手段に記憶されたコンテンツファイルを読み取る工程と、画質処理手段が、前記読み取ったコンテンツファイルの映像に所定の処理を施す工程と、制御手段が、前記読み取ったコンテンツファイルを特定するための名称の中に所定の文字が含まれる場合、当該所定の文字に対応したパラメータで前記処理を行わせる工程と、を含む。
【図面の簡単な説明】
【０００８】
【図１】図１は、実施形態にかかる映像再生装置の構成を示すブロック図である。
【図２】図２は、リモコンの操作ボタンの配置例を示す図である。
【図３】図３は、実施形態にかかる映像再生装置の動作の一例を示すフローチャートである。
【図４】図４は、記憶されるコンテンツファイルを例示する概念図である。
【図５】図５は、フォルダに格納されるコンテンツファイルを例示する概念図である。
【発明を実施するための形態】
【０００９】
以下、添付図面を参照して実施形態の映像再生装置及び映像再生方法を詳細に説明する。なお、本実施形態では映像再生装置として一般的なテレビを例示するが、放送波を受信するチューナを備えたハードディスクレコーダーやセットトップボックス等の機器であってもよいことは言うまでもないことである。
【００１０】
図１は、実施形態にかかる映像再生装置１の構成を示すブロック図である。図１に示すように、映像再生装置１は、デジタル放送／アナログ放送の受信用チューナーを搭載するテレビであり、アンテナ２、チューナー３、信号処理部４、映像処理部５、表示処理部６、ディスプレイ表示部７、音声処理部８、スピーカー９、制御部１０、通信ライン１１、ＲＡＭ１２（Random  Access  Memory）、ＲＯＭ１３（Read  Only  Memory）、キーボード１４、受光部１５、入出力部１６及び通信部１７を備えて構成されている。
【００１１】
アンテナ２は、ＢＳ、ＣＳ、地上波等のデジタル放送／アナログ放送を受信する。チューナー３は、ユーザーが指示した視聴用のチャンネルを選局する。信号処理部４は、制御部１０の制御のもと、チューナー３で復調された信号や入出力部１６より入力された信号を様々なデジタル信号として取り出し処理する。なお、アナログ放送については、信号処理部４によりＡ／Ｄ変換されてデジタル信号として処理される。また、信号処理部４では、入力された信号を映像信号と音声信号とに分離し、映像信号を映像処理部５へ、音声信号を音声処理部８へ出力する。
【００１２】
映像処理部５は、信号処理部４から入力した映像信号を正しい画面サイズに調整し、さらに様々な映像処理を行う。映像処理部５が行う様々な映像処理には、映像についての画質を改善する画質処理として、映像信号に含まれるノイズを除去する処理が含まれる。具体的には、アナログ放送での映像に含まれるアナログノイズを除去する処理や、デジタル放送での映像に含まれるモスキートノイズやブロックノイズを除去する処理がある。上述した映像処理部５が行う画質処理の強さ（パラメータ）は、画質制御部１０３により制御される。具体的には、ノイズ除去による映像のボケ具合が、画質処理の強さとして制御される。
【００１３】
表示処理部６は、調整後の映像信号に対して、さらに文字情報等のＯＳＤ（On-Screen  Display）表示を重ねる。ディスプレイ表示部７は、映像信号を画面に表示する。そして、視聴者（ユーザ）はディスプレイ表示部７の画面を見ることにより、テレビ映像を見る。音声処理部８は、音声信号を音響処理するとともに増幅する。スピーカー９は、音声信号を音声として出力する。そして、視聴者はスピーカー９からの音声を聴くことにより、テレビ音声を聴く。
【００１４】
制御部１０は、映像再生装置１の各部を制御する。制御部１０は、具体的にはマイクロコントローラであり、ＲＯＭ１３に記憶されたプログラムをＲＡＭ１２に展開して順次実行することで、映像再生装置１の各部に制御信号を出力して、映像再生装置１の動作を中央制御する。制御部１０は、上述したプログラムを実行することで、コンテンツ読取部１０１、コンテンツ選択部１０２及び画質制御部１０３としての機能を有する（詳細は後述する）。
【００１５】
通信ライン１１は、チューナー３、信号処理部４、映像処理部５、表示処理部６、音声処理部８、および、制御部１０を互いに接続し、制御部１０と、チューナー３、信号処理部４、映像処理部５、表示処理部６及び音声処理部８の間で、データの受け渡しを行う。通信ライン１１は、具体的にはＩＩＣ−ＢＵＳなどであってよい。ＲＡＭ１２およびＲＯＭ１３は、様々なデータを記憶しており、制御部１０との間で、これらのデータの受け渡しが行われる。特に、ＲＯＭ１３は、制御部１０が実行するプログラムや各種設定が記述された設定データ１３１を記憶している。
【００１６】
ここで、設定データ１３１に記述される各種設定には、コンテンツファイル２１１のファイル名称などに含まれる所定の名称ごとに、その名称に対応して映像処理部５が行う画質処理の強さ（パラメータ）を設定する設定値などがある。例えば、「special（特殊）」、「normal（標準）」等の名称ごとに、その名称に対応した画像処理のパラメータが記述されている。
【００１７】
キーボード１４は、視聴者の操作指示を受け付けるスイッチである。受光部１５は、視聴者の操作指示を受け付けたリモコン４０が発信する信号を受信する。視聴者は、リモコン４０の各種ボタンを操作することで、映像再生装置１及び映像再生装置１と接続する各機器を操作することができる。上述したキーボード１４、リモコン４０が映像再生装置１の操作手段である。
【００１８】
ここで、リモコン４０を例に、操作手段の詳細を説明する。図２は、リモコン４０の操作ボタンの配置例を示す図である。
【００１９】
図２に示すように、信号処理部４には、映像再生装置１及び映像再生装置１と接続する各機器を操作するための各種ボタンが配置されている。数字ボタン４１０は、チャンネルの番号を入力したり、操作入力を行う機器を切り換える入力切換操作の時の接続機器の番号を選択したりする際の、数字入力を視聴者が行うボタンである。
【００２０】
チャンネルアップボタン４１３とチャンネルダウンボタン４１４とは、チャンネルを昇順又は降順に変更するための操作を視聴者が行うボタンである。音量アップボタン４１５と音量ダウンボタン４１６とは、音声出力のボリュームを増減するための操作を視聴者が行うボタンである。メニューボタン４１７は、映像再生装置１の設定操作等のメニューを表示させて、その設定操作を開始する際に、視聴者が操作するボタンである。選択ボタン４１８は、視聴者が選択指示を行うためのボタンである。
【００２１】
電源ボタン４１９は、映像再生装置１の電源のオン／オフを視聴者が操作するボタンである。入力切換ボタン４２０は、入力切換操作を開始する際に、視聴者が操作するボタンである。上ボタン４２１、下ボタン４２２、左ボタン４２３、右ボタン４２４は、設定操作中のメニュー表示や、カーソルの位置を変更するための操作を視聴者が行うボタンである。ＯＫボタン４２５は、選択内容や変更内容を決定する際に、視聴者が操作するボタンである。
【００２２】
色ボタン４２６（図示例では「青」、「赤」、「緑」、「黄色」）は、映像再生装置１のデジタルテレビ放送に関係する操作などを行う際に、視聴者が使用するボタンである。ソース機器操作ボタン４３０は、映像再生装置１に接続されたソース機器（図１の例ではレコーダー２０）が記憶するコンテンツに関係する操作（例えば再生）などを行う際に、視聴者が使用するボタンである。図示例では、「再生」、「停止」、「早戻し」、「早送り」などがある。
【００２３】
入出力部１６は、レコーダー２０が接続可能なＨＤＭＩ（High-Definition  Multimedia  Interface）や、ＵＳＢ機器２１が接続可能なＵＳＢ（Universal  Serial  Bus）の通信インタフェース、フラッシュメモリなどのメディアカード２２が挿抜可能なカードスロットである。通信部１７は、制御部１０の制御のもと、インターネット２３等の通信ネットワークとデータ通信を行う通信インタフェースである。
【００２４】
入出力部１６は、制御部１０の制御のもと、ＨＤＭＩを介して接続するＨＤＭＩ対応のレコーダー２０よりデジタル映像の入力を受け付ける。また、入出力部１６は、ＵＳＢケーブルを介して接続するレコーダー２０、カードスロットに挿入されたメディアカード２２におけるデータの読み書きを行う。これにより、記憶手段としてのＵＳＢ機器２１に記憶されたコンテンツファイル２１１の読み出しが行われる。
【００２５】
コンテンツファイル２１１は、ディスプレイ表示部７で表示される映像、スピーカー９より出力される音声等のコンテンツデータを記録したファイルである。具体的には、映像や音声のストリームデータが記述されたファイルであり、コンテンツ（番組）ごとにファイル名が付されてファイル分けされている。なお、本実施形態では、コンテンツファイル２１１がＵＳＢ機器２１に記憶される構成を例示するが、コンテンツファイル２１１は、レコーダー２０やメディアカード２２の他、インターネット２３を介して接続可能な外部機器などに記憶されてもよいことは言うまでもないことである。
【００２６】
ここで、コンテンツファイル２１１のファイル名には、コンテンツの映像品位に対応した画質処理の強さ（パラメータ）を設定する場合、設定すべき画質処理のパラメータを指示する名称を含めるものとする。具体的には、設定データ１３１において画質処理のパラメータを設定するための名称として記述されている、「special（特殊）」、「normal（標準）」等の名称をコンテンツファイル２１１のファイル名に含める。したがって、視聴者は、「special（特殊）」、「normal（標準）」等の名称の中で、コンテンツの映像品位に対応した画質処理のパラメータを設定するための名称をコンテンツファイル２１１のファイル名に含ませることで、その名称に対応したパラメータを映像処理部５で行う画質処理に反映させることができる。
【００２７】
ここで、制御部１０が有する機能部である、コンテンツ読取部１０１、コンテンツ選択部１０２及び画質制御部１０３の詳細を説明する。
【００２８】
コンテンツ読取部１０１は、入出力部１６を介してＵＳＢ機器２１が接続された場合に、接続されたＵＳＢ機器２１に記憶されたコンテンツファイル２１１を読み出す。コンテンツ選択部１０２は、コンテンツ読取部１０１が読み出したコンテンツファイル２１１をファイル分けされたコンテンツごとに表示した選択画面、すなわちコンテンツファイル２１１の中から再生するコンテンツファイルを選択する選択画面をディスプレイ表示部７に表示する。そして、コンテンツ選択部１０２は、リモコン４０による操作指示をもとにディスプレイ表示部７より表示して再生を行うコンテンツファイル２１１の選択を受け付ける。
【００２９】
画質制御部１０３は、映像処理部５が行う画質処理の強さを制御する。具体的には、画質制御部１０３は、コンテンツ選択部１０２により選択されたコンテンツファイル２１１を読み出してディスプレイ表示部７より表示して再生を行う際に映像処理部５が行う画質処理の強さを、コンテンツファイル２１１を特定するための名称（ファイル名）をもとに制御する。より具体的には、画質制御部１０３は、コンテンツファイル２１１のファイル名に、設定データ１３１において「special（特殊）」、「normal（標準）」等の画質処理のパラメータが設定された名称が含まれている場合、その名称に対応したパラメータで映像処理部５の画質処理を行わせる。したがって、映像再生装置１は、コンテンツファイル２１１の映像品位に対応した画質処理の強さ（パラメータ）を設定するための名称をファイル名に含めるようにすることで、その映像品位に対応した画質処理を実現できるため、コンテンツファイル２１１の映像を解析して映像品位を確認するための構成を別途備える必要がなく、映像品位に適した画質処理を低コストで実現できる。
【００３０】
ここで、上述したコンテンツ読取部１０１、コンテンツ選択部１０２及び画質制御部１０３による制御内容について、図３を参照して詳細に説明する。図３は、実施形態にかかる映像再生装置１の動作の一例を示すフローチャートである。
【００３１】
図３に示すように、電源の投入などにより処理が開始されると、コンテンツ読取部１０１は、記憶媒体の挿入の有無、すなわち入出力部１６へのＵＳＢ機器２１の接続の有無を判定する（Ｓ１）。入出力部１６へＵＳＢ機器２１が接続された場合（Ｓ１：ＹＥＳ）、コンテンツ読取部１０１は、ＵＳＢ機器２１に記憶されたコンテンツファイル２１１を読み出す（Ｓ２）。
【００３２】
図４は、記憶されるコンテンツファイルＦ１を例示する概念図である。図４に示すように、ＵＳＢ機器２１には、ルートフォルダなどの下に、コンテンツファイルＦ１、Ｆ２、Ｆ３等のコンテンツファイルが格納されている。ここで、コンテンツファイルＦ１は、ファイル名が”ｘｘｘ＿ｓｐｅｃｉａｌ．ｍｐｇ”であり、設定データ１３１において画質処理のパラメータが設定された「special（特殊）」の名称を含むものとする。また、コンテンツファイルＦ２は、ファイル名が”ＹＹＹ．ｍｐｇ”であり、設定データ１３１において画質処理のパラメータが設定された名称を含まないものとする。また、コンテンツファイルＦ３は、ファイル名が”ｚｚｚ＿Ｈｉ＿ｓｐｅｃｉａｌ．ｍｐｇ”であり、設定データ１３１において画質処理のパラメータが設定された「special（特殊）」の名称と、そのパラメータを調整するための単語（ターム）である「Ｈｉ」を含むものとする。
【００３３】
パラメータを調整するためのタームは、例えば映像の解像度などを示す「Ｈｉ」や「Ｌｏｗ」、元映像の出所（例えばアナログ放送／デジタル放送／ネット配信）を示す「アナログ」、「デジタル」、「ネット」などであってよい。設定データ１３１には上述したタームに対応した調整量が設定されており、画質制御部１０３は、再生を行うコンテンツファイル２１１のファイル名に含まれるタームをもとに、設定データ１３１に設定された調整量を画質処理のパラメータに反映させる（詳細は後述する）。
【００３４】
次いで、コンテンツ選択部１０２は、読み出したコンテンツファイル２１１の中から再生するコンテンツファイルを選択する選択画面をディスプレイ表示部７に表示し、リモコン４０による操作指示をもとにディスプレイ表示部７より表示して再生を行うコンテンツファイル２１１の選択を受け付ける（Ｓ３）。
【００３５】
次いで、画質制御部１０３は、選択されたコンテンツファイル２１１のファイル名に設定データ１３１において画質処理のパラメータが設定された所定の名称（例えば「special（特殊）」、「normal（標準）」等）が含まれているか否かを判定する（Ｓ４）。所定の名称が含まれていない場合（Ｓ４：ＮＯ）、画質制御部１０３は、映像処理部５が行う画質処理のパラメータとしてＲＯＭ１３等に予め設定されている標準のパラメータを設定する（Ｓ５）。
【００３６】
所定の名称が含まれている場合（Ｓ４：ＹＥＳ）、画質制御部１０３は、その名称に対応した画質処理のパラメータを設定データ１３１より読み出して設定する（Ｓ６）。例えば、図４の例では、コンテンツファイルＦ１やＦ３が選択された場合は、「special（特殊）」に対応した画質処理のパラメータが設定されることとなる。
【００３７】
次いで、画質制御部１０３は、選択されたコンテンツファイル２１１のファイル名に上述した調整用のタームが含まれているか否かを判定する（Ｓ７）。調整用のタームが含まれている場合、画質制御部１０３は、そのタームに対応した調整量を設定データ１３１より読み出して、Ｓ６で設定された画質処理のパラメータに付加する（Ｓ８）。これにより、調整用のタームをコンテンツファイル２１１のファイル名に付加することで、画質処理のパラメータを調整することが可能となる。例えば、図４の例では、コンテンツファイルＦ３が選択された場合は、「special（特殊）」に対応した画質処理のパラメータに、映像の解像度が「Ｈｉ」である場合の調整量が付加されることとなる。
【００３８】
解像度が高い映像は、比較的綺麗な映像であることから、映像処理部５のノイズ除去による映像のボケ具合を強くしない方がよいことがある。したがって、視聴者は、解像度が高い映像であることを示す「Ｈｉ」のタームをコンテンツファイル２１１のファイル名に含めるようにすることで、画質処理のパラメータを解像度が高い映像に合わせて調整することができる。
【００３９】
次いで、制御部１０は、Ｓ３で選択されたコンテンツファイルをＵＳＢ機器２１より読み出し（Ｓ９）、設定されたパラメータでの画質処理を映像処理部５で行わせて（Ｓ１０）、ディスプレイ表示部７より表示させる（Ｓ１１）。
【００４０】
なお、本実施形態では、コンテンツファイル２１１を特定するための名称としてファイル名を例示し、画質制御部１０３は、選択されたコンテンツファイル２１１のファイル名に応じたパラメータで映像処理部５の画質処理を行わせる場合を説明した。しかしながら、コンテンツファイル２１１を特定するための名称は、ファイル名以外に、例えばフォルダ名であってもよい。画質制御部１０３は、選択されたコンテンツファイルのフォルダ名に、設定データ１３１において画質処理のパラメータが設定されている名称を含む場合は、その名称に対応したパラメータで映像処理部５の画質処理を行わせる。これにより、視聴者は、所定の名称を付したフォルダの下にコンテンツファイル２１１を格納することで、そのコンテンツファイル２１１における画質処理を一括して行わせることができる。
【００４１】
図５は、フォルダＦ１０、Ｆ２０に格納されるコンテンツファイルを例示する概念図である。図５に示すように、ＵＳＢ機器２１には、フォルダＦ１０の下にコンテンツファイルＦ１１、Ｆ１２が格納され、フォルダＦ２０の下にコンテンツファイルＦ２１が格納されている。ここで、フォルダＦ１０はフォルダ名が”Ｓｐｅｃｉａｌ”であり、設定データ１３１において画質処理のパラメータが設定されている「special（特殊）」の名称を含むものとする。また、フォルダＦ２０はフォルダ名が”ｎｏｒｍａｌ”であり、設定データ１３１において画質処理のパラメータが設定されている「normal（標準）」の名称を含むものとする。これにより、コンテンツファイルＦ１１、Ｆ１２が選択された場合には、「special（特殊）」に対応したパラメータで映像処理部５の画質処理を行わせることができる。
【００４２】
なお、本実施形態の映像再生装置１で実行されるプログラムは、ＲＯＭ等に予め組み込まれて提供される。本実施形態の映像再生装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００４３】
さらに、本実施形態の映像再生装置１で実行されるプログラムを、インターネット等のネットワークに接続されたコンピュータ上に格納し、ネットワーク経由でダウンロードさせることにより提供するように構成しても良い。また、本実施形態の映像再生装置１で実行されるプログラムをインターネット等のネットワーク経由で提供または配布するように構成しても良い。
【００４４】
本実施形態の映像再生装置１で実行されるプログラムは、上述した各部（コンテンツ読取部１０１、コンテンツ選択部１０２、画質制御部１０３）を含むモジュール構成となっており、実際のハードウェアとしてはＣＰＵ（プロセッサ）が上記ＲＯＭからプログラムを読み出して実行することにより上記各部が主記憶装置上にロードされ、生成されるようになっている。
【００４５】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【００４６】
以下に、原出願の分割直前の特許請求の範囲に記載された発明を付記する。
【００４７】
（付記１）
記憶手段に記憶されたコンテンツファイルを読み取る読取手段と、
前記読み取ったコンテンツファイルの中から再生するコンテンツファイルを選択する選択手段と、
前記選択されたコンテンツファイルの映像に所定の画質処理を施す画質処理手段と、
前記選択されたコンテンツファイルを特定するための名称に所定の名称が含まれる場合、当該所定の名称に対応したパラメータで前記画質処理を行わせる画質制御手段と、
を備える映像再生装置。
【００４８】
（付記２）
前記画質制御手段は、前記所定の名称ごとに、前記画質処理にかかるパラメータが予め設定された設定データを参照して、前記選択されたコンテンツファイルを特定するための名称に含まれる所定の名称に対応したパラメータで前記画質処理を行わせる、
（付記１）に記載の映像再生装置。
【００４９】
（付記３）
前記画質制御手段は、前記選択されたコンテンツファイルを特定するための名称に、前記所定の名称の他に、前記パラメータの調整にかかる所定のタームが含まれる場合、当該所定のタームに対応した調整量を前記パラメータに付加して前記画質処理を行わせる、
（付記１）又は（付記２）に記載の映像再生装置。
【００５０】
（付記４）
前記所定のタームは、前記コンテンツファイルの映像の解像度を示すタームであり、
前記画質制御手段は、前記選択されたコンテンツファイルを特定するための名称に、前記解像度を示すタームが含まれている場合、当該解像度に対応した調整量を前記パラメータに付加して前記画質処理を行わせる、
（付記３）に記載の映像再生装置。
【００５１】
（付記５）
前記画質処理は、前記映像に含まれるノイズを除去する処理であり、
前記画質制御手段は、前記選択されたコンテンツファイルを特定するための名称に含まれる所定の名称に対応したパラメータが示す強さで前記映像に含まれるノイズの除去を行わせる、
（付記１）乃至（付記４）のいずれか一項に記載の映像再生装置。
【００５２】
（付記６）
前記選択されたコンテンツファイルを特定するための名称は、コンテンツファイルのファイル名であり、
前記画質制御手段は、前記選択されたコンテンツファイルのファイル名に所定の名称が含まれる場合、当該所定の名称に対応したパラメータで前記画質処理を行わせる、
（付記１）乃至（付記５）のいずれか一項に記載の映像再生装置。
【００５３】
（付記７）
前記選択されたコンテンツファイルを特定するための名称は、当該コンテンツファイルが格納されたフォルダのフォルダ名であり、
前記画質制御手段は、前記選択されたコンテンツファイルが格納されたフォルダ名に所定の名称が含まれる場合、当該所定の名称に対応したパラメータで前記画質処理を行わせる、
（付記１）乃至（付記５）のいずれか一項に記載の映像再生装置。
【００５４】
（付記８）
前記記憶手段は所定の通信路を介した接続及び切断が可能であり、
前記読取手段は、前記記憶手段が接続された場合に、当該記憶手段に記憶されるコンテンツファイルを読み取る、
（付記１）乃至（付記７）のいずれか一項に記載の映像再生装置。
【００５５】
（付記９）
映像再生装置の映像再生方法であって、
読取手段が、記憶手段に記憶されたコンテンツファイルを読み取る工程と、
選択手段が、前記読み取ったコンテンツファイルの中から再生するコンテンツファイルを選択する工程と、
画質処理手段が、前記選択されたコンテンツファイルの映像に所定の画質処理を施す工程と、
画質制御手段が、前記選択されたコンテンツファイルを特定するための名称が所定の名称である場合、当該名称に対応したパラメータで前記画質処理を行わせる工程と、
を含む映像再生方法。
【符号の説明】
【００５６】
１…映像再生装置、２…アンテナ、３…チューナー、４…信号処理部、５…映像処理部、６…表示処理部、７…ディスプレイ表示部、８…音声処理部、９…スピーカー、１０…制御部、１１…通信ライン、１２…ＲＡＭ、１３…ＲＯＭ、１４…キーボード、１５…受光部、１６…入出力部、１７…通信部、２０…レコーダー、２１…ＵＳＢ機器、２２…メディアカード、２３…インターネット、４０…リモコン、１０１…コンテンツ読取部、１０２…コンテンツ選択部、１０３…画質制御部、１３１…設定データ、２１１…コンテンツファイル、Ｆ１、Ｆ２、Ｆ３、Ｆ１１、Ｆ１２、Ｆ２１…コンテンツファイル、Ｆ１０、Ｆ２０…フォルダ
【要約】
【課題】コンテンツファイルの映像を表示する際の、映像品位に適した画質処理を低コストで行うことを可能とする。
【解決手段】実施形態の映像再生装置は、記憶手段に記憶されたコンテンツファイルを読み取る読取手段と、読み取ったコンテンツファイルの中から再生するコンテンツファイルを選択する選択手段と、選択されたコンテンツファイルの映像に所定の画質処理を施す画質処理手段と、選択されたコンテンツファイルを特定するための名称に所定の名称が含まれる場合、その所定の名称に対応したパラメータで画質処理を行わせる画質制御手段とを備える。
【選択図】図３【図１】
0005185467.tif 000002
【図２】
0005185467.tif 000003
【図３】
0005185467.tif 000004
【図４】
0005185467.tif 000005
【図５】
0005185467.tif 000006